(57)【要約】【課題】光量を調節する絞り機能と通過する光の波長領域を調節するフィルタ機能とを両立させる光調節装置の簡素化、小型化、低コスト化を図る。【解決手段】開口部１１を所定の口径に絞り得る二つの絞り羽根部材２１，２２、開口部を覆う進入位置と後退位置との間で移動する赤外線カットフィルタ部材３０、絞り羽根部材及び赤外線カットフィルタ部材を駆動する駆動機構を備え、駆動機構は、第１回転角度範囲θ１で赤外線カットフィルタ部材３０を進入位置に維持しつつ絞り羽根部材２１，２２を全開位置と全閉位置との間で移動させて絞り動作を行わせ、第２回転角度範囲θ２で絞り羽根部材２１，２２を全開位置に維持しつつ赤外線カットフィルタ部材３０を進入位置から後退位置に移動させる駆動源６０及びリンク部材４０、５０を含む。これによれば、光調節装置を簡素化、小型化、低コスト化できる。【選択図】図１
2013178297.tif 000002
【特許請求の範囲】
【請求項１】
光通過用の開口部を有するベースと、前記ベースに対して移動自在に支持されると共に前記開口部を全開する全開位置と前記開口部を全閉する全閉位置との間を移動して協働により前記開口部を所定の口径に絞る二つの絞り羽根部材と、前記開口部を覆う進入位置と前記開口部から後退した後退位置との間で移動自在な赤外線カットフィルタ部材と、前記二つの絞り羽根部材及び赤外線カットフィルタ部材を駆動する駆動機構を備え、
前記駆動機構は、所定の第１回転角度範囲において前記赤外線カットフィルタ部材を前記進入位置に維持した状態で前記二つの絞り羽根部材を前記全開位置と前記全閉位置との間で移動させて前記開口部を絞る絞り動作を行わせると共に、所定の第２回転角度範囲において前記二つの絞り羽根部材を前記全開位置に維持した状態で前記赤外線カットフィルタ部材を前記進入位置から前記後退位置に移動させるべく形成された一つの駆動源及び前記駆動源の駆動力を前記二つの絞り羽根部材及び赤外線カットフィルタ部材に伝達するリンク部材を含む、
ことを特徴とする光調節装置。
【請求項２】
前記リンク部材は、前記二つの絞り羽根部材に連結されて両者を逆向きに移動させる第１リンク部材と、前記赤外線カットフィルタ部材に連結された第２リンク部材を含み、
前記駆動源は、前記第１リンク部材及び第２リンク部材に対して係合及び離脱し得る駆動ピンを有すると共に、前記第１回転角度範囲において前記第１リンク部材に係合して駆動力を及ぼし、前記第２回転角度範囲において前記第２リンク部材に係合して駆動力を及ぼすように形成され、非通電状態の休止位置において前記二つの絞り羽根部材を前記全開位置に位置付け、前記休止位置から一方向に回転して前記二つの絞り羽根部材を前記全開位置から前記全閉位置まで移動させ、前記休止位置から他方向に回転して前記赤外線カットフィルタ部材を前記進入位置から前記後退位置まで移動させる、
ことを特徴とする請求項１に記載の光調節装置。
【請求項３】
前記赤外線カットフィルタ部材は、前記二つの絞り羽根部材の一方に一体的に移動するように取り付けられ、
前記リンク部材は、前記二つの絞り羽根部材に連結されて両者を逆向きに移動させる第１リンク部材を含み、
前記駆動源は、前記第１リンク部材に係合する駆動ピンを有すると共に、前記第１回転角度範囲及び第２回転角度範囲において前記第１リンク部材に駆動力を及ぼすように形成され、非通電状態の休止位置において前記二つの絞り羽根部材を前記全閉位置に位置付け、前記休止位置から一方向の中間位置まで回転して前記二つの絞り羽根部材を前記全閉位置から前記全開位置まで移動させ、前記中間位置からさらに一方向に回転して前記二つの絞り羽根部材を全開状態に維持しつつ前記赤外線カットフィルタ部材を前記進入位置から前記後退位置まで移動させる、
ことを特徴とする請求項１に記載の光調節装置。
【請求項４】
前記駆動源は、前記赤外線カットフィルタ部材が前記開口部を部分的に覆う位置に位置付けるように、前記リンク部材を駆動する、
ことを特徴とする請求項２又は３に記載の光調節装置。
【発明の詳細な説明】
【技術分野】
【０００１】
本発明は、カメラにおける光量を調節する絞り機能及び通過する光の波長領域を調節するフィルタ機能を備えた光調節装置に関し、特に、昼間及び夜間での撮影を行う監視カメラ等に適用される光調節装置に関する。
【背景技術】
【０００２】
監視カメラ等では、昼間等における高輝度の被写体を撮影するだけでなく、夜間等における低輝度の被写体をも撮影する必要がある。
このような監視カメラに適用される従来の光調節装置としては、レンズを含む結像光学系、結像光学系の背後に配置されて結像させる撮像素子等を備えたカメラにおいて、結像光学系の途中（レンズとレンズの間）に配置された絞り機構、レンズと撮像素子との間に配置されたフィルタ機構を備え、絞り機構が、円形の開口を有する絞り枠、絞り枠に対して移動自在に支持された２枚の絞り羽根、２枚の絞り羽根を連動させて駆動するレバー及び第１駆動源により構成され、フィルタ機構が、円形の３つの開口を有すると共に３つの開口をそれぞれ覆うように設けられた，クリアフィルタ，ＩＲ（赤外線）カットフィルタ，ＩＲ（赤外線）カット＋ＮＤフィルタを有する可動部材、可動部材を往復駆動する歯車付きの第２駆動源等により構成されて、高輝度（昼間）の被写体を撮影する際には、赤外線カットフィルタを光路上に進入させると共に絞り機構を適宜駆動して開口を所望の口径に絞り、又、低輝度（夜間）の被写体を撮影する際には、絞りを開くと共に赤外線カットフィルタを光路から後退させ得る（代わりにクリアフィルタを進入させ得る）ようにしたものが知られている（例えば、特許文献１参照）。
しかしながら、この光調節装置においては、絞り機構とフィルタ機構とが別々の駆動源を備えて別々の駆動機構により駆動されるため、構造が複雑であり、部品点数も多くて、装置の大型化、高コスト化を招くものであった。
【０００３】
一方、他の光調節装置としては、円形の開口を有する筐体、筐体に対して移動自在に支持された２枚の絞り羽根、２枚の絞り羽根の一方に貼付されたＮＤフィルタ部材、２枚の絞り羽根を連動させて駆動する操作アーム及び駆動モータを備え、駆動モータを適宜回転させて、２枚の絞り羽根を相対的に移動させることにより、絞り羽根が開口を全開にすると共にＮＤフィルタ部材が開口を部分的に覆う状態→絞り羽根が開口を所定の口径に絞ると共にＮＤフィルタ部材が開口を部分的に又は完全に覆う状態→絞り羽根が開口を全閉にする状態まで光量を連続的に調節できるようにしたものが知られている（例えば、特許文献２参照）。
しかしながら、この光調節装置においては、ＮＤフィルタ部材が開口を完全に覆う状態で、開口の絞り口径のみを変化させることができない。すなわち、この光調節装置を、監視カメラ等に適用するべく、ＮＤフィルタ部材を赤外線カットフィルタに置き換えたとしても、高輝度（昼間）の被写体を撮影する際に、赤外線カットフィルタを光路上に進入させた（開口を完全に覆う）状態で、光量だけを調節するべく開口を所望の口径に絞る動作を行うことができない。
【先行技術文献】
【特許文献】
【０００４】
【特許文献１】特開２００８−１１６７３０号公報
【特許文献２】特開２００１−２７２７０９号公報
【発明の概要】
【発明が解決しようとする課題】
【０００５】
本発明は、上記の事情に鑑みて成されたものであり、その目的とするところは、構造の簡素化、低コスト化等を図りつつ、一つの駆動源を用いて、光量を調節する絞り機能と通過する光の波長領域を調節するフィルタ機能とを両立させることができ、特に監視カメラ等に適用される光調節装置を提供することにある。
【課題を解決するための手段】
【０００６】
本発明の光調節装置は、光通過用の開口部を有するベースと、ベースに対して移動自在に支持されると共に開口部を全開する全開位置と開口部を全閉する全閉位置との間で移動して協働により開口部を所定の口径に絞る二つの絞り羽根部材と、開口部を覆う進入位置と開口部から後退した後退位置との間で移動自在な赤外線カットフィルタ部材と、二つの絞り羽根部材及び赤外線カットフィルタ部材を駆動する駆動機構を備え、上記駆動機構は、所定の第１回転角度範囲において赤外線カットフィルタ部材を進入位置に維持した状態で二つの絞り羽根部材を全開位置と全閉位置との間で移動させて開口部を絞る絞り動作を行わせると共に、所定の第２回転角度範囲において二つの絞り羽根部材を全開位置に維持した状態で赤外線カットフィルタ部材を進入位置から後退位置に移動させるべく形成された一つの駆動源及び駆動源の駆動力を二つの絞り羽根部材及び赤外線カットフィルタ部材に伝達するリンク部材を含む、ことを特徴としている。
この構成によれば、駆動源が第１回転角度範囲を回転するとき、リンク部材を介して、赤外線カットフィルタ部材を（開口部を覆う）進入位置に維持した状態で、二つの絞り羽根部材を全開位置と全閉位置との間で移動させて開口部を絞る絞り動作を行わせることができるため、駆動源を適宜回転させることで所望の口径に絞ることにより、監視カメラ等において、赤外光を遮断しつつ昼間等における（高輝度の）被写体を鮮明に撮影することができ、一方、駆動源が第２回転角度範囲を回転するとき、リンク部材を介して、二つの絞り羽根部材を全開位置に維持した状態で、赤外線カットフィルタ部材を進入位置から（開口部を全開する）後退位置に移動させることができるため、監視カメラ等において、夜間等における（低輝度の）被写体を鮮明に撮影することができる。
このように、二つの絞り羽根部材と赤外線カットフィルタ部材とを、一つの駆動源により駆動するため、構造の簡素化、部品点数の削減、低コスト化等を達成できる。
【０００７】
上記構成において、リンク部材は、二つの絞り羽根部材に連結されて両者を逆向きに移動させる第１リンク部材と、赤外線カットフィルタ部材に連結された第２リンク部材を含み、駆動源は、第１リンク部材及び第２リンク部材に対して係合及び離脱し得る駆動ピンを有すると共に、第１回転角度範囲において第１リンク部材に係合して駆動力を及ぼし、第２回転角度範囲において第２リンク部材に係合して駆動力を及ぼすように形成され、非通電状態の休止位置において二つの絞り羽根部材を全開位置に位置付け、休止位置から一方向に回転して二つの絞り羽根部材を全開位置から全閉位置まで移動させ、休止位置から他方向に回転して赤外線カットフィルタ部材を進入位置から後退位置まで移動させる、構成を採用することができる。
この構成によれば、駆動源が第１回転角度範囲を回転するとき、駆動ピンは、第２リンク部材から離脱した状態（赤外線カットフィルタ部材を進入位置に位置付けた状態）で、第１リンク部材に係合して二つの絞り羽根部材を互いに逆向きに移動させつつ全開位置と全閉位置との間で移動させて開口部を絞る絞り動作を行わせることができ、一方、駆動源が第２回転角度範囲を回転するとき、駆動ピンは、第１リンク部材から離脱した状態（二つの絞り羽根部材を全開位置に維持した状態）で、第２リンク部材に係合して赤外線カットフィルタ部材を進入位置から後退位置に移動させることができる。このように、一つの駆動源の駆動力が、異なるタイミングでそれぞれのリンク部材に伝達されるようにすることで、所期の動作を確実に行わせることができる。
特に、駆動源が休止位置から一方向に回転すると、二つの絞り羽根部材のみを全開位置から全閉位置まで移動させることができると共にその途中で回転を適宜停止することにより所望の絞り動作を行うことができ、一方、駆動源が休止位置から他方向に回転すると、赤外線カットフィルタ部材のみを進入位置から後退位置まで移動させることができる。このように、駆動源の回転方向を切り換えることで、二つの絞り羽根部材による絞り動作と赤外線カットフィルタ部材の出し入れ動作を切り換えることができるため、駆動源の作動角を大きく設定する必要がなく、駆動源の小型化等を達成できる。
【０００８】
上記構成において、赤外線カットフィルタ部材は、二つの絞り羽根部材の一方に一体的に移動するように取り付けられ、リンク部材は、二つの絞り羽根部材に連結されて両者を逆向きに移動させる第１リンク部材を含み、駆動源は、第１リンク部材に係合する駆動ピンを有すると共に、第１回転角度範囲及び第２回転角度範囲において第１リンク部材に駆動力を及ぼすように形成され、非通電状態の休止位置において二つの絞り羽根部材を全閉位置に位置付け、休止位置から一方向の中間位置まで回転して二つの絞り羽根部材を全閉位置から全開位置まで移動させ、中間位置からさらに一方向に回転して二つの絞り羽根部材を全開状態に維持しつつ赤外線カットフィルタ部材を進入位置から後退位置まで移動させる、構成を採用することができる。
この構成によれば、駆動源が第１回転角度範囲を回転するとき、駆動ピンは、第１リンク部材を介して、一方の絞り羽根部材と一緒に移動する赤外線カットフィルタ部材を開口部を覆う状態に維持（進入位置に維持）した状態で二つの絞り羽根部材を互いに逆向きに移動させつつ全開位置と全閉位置との間を移動させて開口部を絞る絞り動作を行わせることができ、一方、駆動源が第２回転角度範囲を回転するとき、駆動ピンは、第１リンク部材を介して、二つの絞り羽根部材を移動させつつも開口部を全開する全開状態に維持（全開位置に維持）した状態で、赤外線カットフィルタ部材を進入位置から後退位置に移動させることができる。このように、一つの駆動源の駆動力が、一つのリンク部材に伝達されるようにすることで、構造の簡素化を達成しつつ、二つの絞り羽根部材による絞り動作と赤外線カットフィルタ部材の出し入れ動作を確実に行わせることができる。
特に、駆動源が休止位置から中間位置まで一方向に回転すると、赤外線カットフィルタ部材が開口部を覆う状態を維持しつつ二つの絞り羽根部材を全閉位置から全開位置まで移動させることができると共にその途中で回転を適宜停止することにより所望の絞り動作を行うことができ、又、駆動源が中間位置からさらに一方向に回転すると、二つの絞り羽根部材の全開状態を維持しつつ赤外線カットフィルタ部材を進入位置から後退位置まで移動させることができる。このように、構造の簡素化等を達成しつつ、駆動源を一方向に回転させることで、二つの絞り羽根部材による絞り動作と赤外線カットフィルタ部材の出し入れ動作を確実に行わせることができる。
【０００９】
上記構成において、駆動源は、赤外線カットフィルタ部材が開口部を部分的に覆う位置に位置付けるようにリンク部材を駆動する、構成を採用することができる。
この構成によれば、二つの絞り羽根部材が全開位置にある状態で、赤外線カットフィルタ部材が進入位置にあると暗過ぎかつ後退位置にあると明る過ぎる被写界輝度のとき、赤外線カットフィルタ部材が開口部を部分的に覆うようにすることで、適正な露出を得ることができる。
【発明の効果】
【００１０】
上記構成をなす光調節装置によれば、構造の簡素化、低コスト化等を達成しつつ、一つの駆動源を用いて、光量を調節する絞り機能と通過する光の波長領域を調節するフィルタ機能とを両立させることができ、特に監視カメラ等に適用される光調節装置を得ることができる。
【図面の簡単な説明】
【００１１】
【図１】本発明に係る光調節装置の一実施形態を示すものであり、絞り羽根部材が全開位置にかつ赤外線カットフィルタ部材が進入位置にある状態を示す透視平面図である。
【図２】図１に示す光調節装置の一部を示す平面図である。
【図３】図１に示す光調節装置の一部を示す平面図である。
【図４】図１に示す光調整装置において、絞り羽根部材が絞り状態にかつ赤外線カットフィルタ部材が進入位置にある状態を示す透視平面図である。
【図５】図１に示す光調整装置において、絞り羽根部材が全閉位置にかつ赤外線カットフィルタ部材が進入位置にある状態を示す透視平面図である。
【図６】図１に示す光調整装置において、絞り羽根部材が全開位置にかつ赤外線カットフィルタ部材が開口部を部分的に覆う半覆位置にある状態を示す透視平面図である。
【図７】図１に示す光調整装置において、絞り羽根部材が全開位置にかつ赤外線カットフィルタ部材が後退位置にある状態を示す透視平面図である。
【図８】本発明に係る光調節装置の他の実施形態を示すものであり、絞り羽根部材が全閉位置にある状態を示す透視平面図である。
【図９】図８に示す光調節装置の一部を示す平面図である。
【図１０】図８に示す光調節装置の一部を示す平面図である。
【図１１】図８に示す光調整装置において、絞り羽根部材が絞り（小絞り）状態にかつ赤外線カットフィルタ部材が進入位置にある状態を示す透視平面図である。
【図１２】図８に示す光調整装置において、絞り羽根部材が絞り（中絞り）状態にかつ赤外線カットフィルタ部材が進入位置にある状態を示す透視平面図である。
【図１３】図８に示す光調整装置において、絞り羽根部材が全開位置にかつ赤外線カットフィルタ部材が進入位置にある状態を示す透視平面図である。
【図１４】図８に示す光調整装置において、絞り羽根部材が全開位置にかつ赤外線カットフィルタ部材が開口部を部分的に覆う半覆位置にある状態を示す透視平面図である。
【図１５】図８に示す光調整装置において、絞り羽根部材が全開位置にかつ赤外線カットフィルタ部材が後退位置にある状態を示す透視平面図である。
【発明を実施するための形態】
【００１２】
以下、本発明の実施形態について、添付図面を参照しつつ説明する。
この光調節装置は、図１に示すように、ベース１０、ベース１０に対して移動自在に支持された二つの絞り羽根部材２１，２２、ベース１０に対して移動自在に支持された赤外線カットフィルタ部材３０、二つの絞り羽根部材２１，２２に連結された第１リンク部材４０、赤外線カットフィルタ部材３０に連結された第２リンク部材５０、第１リンク部材４０及び第２リンク部材５０に駆動力を及ぼす駆動源６０、第１リンク部材４０を回転付勢する付勢バネ７１、第２リンク部材５０を回転付勢する付勢バネ７２、二つの絞り羽根部材２１，２２の位置を検出するセンサ（不図示）又は駆動源６０の回転位置を検出するセンサ（不図示）等を備えている。
【００１３】
ベース１０は、図１ないし図３に示すように、光通過用の円形の開口部１１、一方の絞り羽根部材２１及び赤外線カットフィルタ部材３０をＸ方向に直線的に往復動自在にガイドする２つのガイドピン１２，１２、他方の絞り羽根部材２２をＸ方向に直線的に往復動自在にガイドする２つのガイドピン１３，１３、第１リンク部材４０及び第２リンク部材５０を揺動自在に支持する支軸１４、付勢バネ７１，７２の一端を掛止する掛止部１５，１６、駆動源６０及びセンサを固定する固定部（不図示）等を備えている。
【００１４】
絞り羽根部材２１は、光を遮断し得る板状の部材により形成されており、図２に示すように、開口部１１の絞り及び開閉を行う切り欠き部２１ａ、Ｘ方向に伸長すると共にガイドピン１２が挿入される２つの長孔２１ｂ，２１ｂ、Ｙ方向に伸長すると共に第１リンク部材４０の連結ピン４３が挿入される長孔２１ｃ等を備えている。
絞り羽根部材２２は、光を遮断し得る板状の部材により形成されており、図２に示すように、開口部１１の絞り及び開閉を行う切り欠き部２２ａ、Ｘ方向に伸長すると共にガイドピン１３が挿入される２つの長孔２２ｂ，２２ｂ、Ｙ方向に伸長すると共に第１リンク部材４０の連結ピン４４が挿入される長孔２２ｃ等を備えている。
二つの絞り羽根部材２１，２２は、開口部１１を全開する全開位置と開口部１１を全閉する全閉位置との間で移動すると共に協働により開口部１１を所定の口径に絞り得るように、ベース１０に対してＸ方向において互いに逆向きに移動自在に支持されている。
【００１５】
赤外線カットフィルタ部材３０は、赤外線を遮断し得る板状の部材により形成されており、図３に示すように、開口部１１を覆う大きさに形成されたフィルタ部３０ａ、Ｘ方向に伸長すると共にガイドピン１２が挿入される２つの長孔３０ｂ，３０ｂ、Ｙ方向に伸長すると共に第２リンク部材５０の連結ピン５３が挿入される長孔３０ｃ等を備えている。
尚、赤外線カットフィルタ部材３０は、フィルタ部３０ａのみが赤外線を遮断し得るフィルタ材料により形成されていてもよい。
赤外線カットフィルタ部材３０は、フィルタ部３０ａが開口部１１を覆う進入位置（図３に示す位置）とフィルタ部３０ａが開口部１１から後退した（開口部１１を全開する）後退位置との間で、ベース１０に対してＸ方向に移動自在に支持されている。
【００１６】
第１リンク部材４０は、図２に示すように、支軸１４により揺動自在に支持される円孔４１、駆動源６０の駆動ピン６１ａが離脱可能に係合し得る切り欠き状の係合部４２、絞り羽根部材２１の長孔２１ｃに挿入されて連結される連結ピン４３、絞り羽根部材２２の長孔２２ｃに挿入されて連結される連結ピン４４、付勢バネ７１の他端が掛止される掛止部４５等を備えている。
第１リンク部材４０は、図２に示すように、付勢バネ７１により図中の反時計回りに回転付勢されており、二つの絞り羽根部材２１，２２が停止する（図２に示すように、長孔２１ｂ，２２ｂの一端部がガイドピン１２，１３に当接する）ことによりそれ以上の反時計回りの回転が規制され、一方、駆動ピン６１ａが係合部４２に係合して駆動力を及ぼすことで付勢バネ７１の付勢力に抗しつつ時計回りに回転して、二つの絞り羽根部材２１，２２が停止する（図５に示すように、長孔２１ｂ，２２ｂの他端部がガイドピン１２，１３に当接する）ことによりそれ以上の時計回りの回転が規制されるようになっている。
【００１７】
第２リンク部材５０は、図３に示すように、支軸１４により揺動自在に支持される円孔５１、駆動源６０の駆動ピン６１ａが離脱可能に係合し得る切り欠き状の係合部５２、赤外線カットフィルタ部材３０の長孔３０ｃに挿入されて連結される連結ピン５３、付勢バネ７２の他端が掛止される掛止部５４等を備えている。
第２リンク部材５０は、図３に示すように、付勢バネ７２により図中の時計回りに回転付勢されており、赤外線カットフィルタ部材３０が停止する（図３に示すように、長孔３０ｂの一端部がガイドピン１２に当接する）ことによりそれ以上の時計回りの回転が規制され、一方、駆動ピン６１ａが係合部５２に係合して駆動力を及ぼすことで付勢バネ７２の付勢力に抗しつつ反時計回りに回転して、赤外線カットフィルタ部材３０が停止する（図７に示すように、長孔３０ｂの他端部がガイドピン１２に当接する）ことによりそれ以上の反時計回りの回転が規制されるようになっている。
【００１８】
駆動源６０は、所定の回転角度範囲を往復回転すると共に外部に駆動力を及ぼす駆動ピン６１ａを有するロータ６１、ロータ６１を回動自在に支持する枠部材（不図示）、枠部材に巻回された励磁用のコイル（不図示）、コイルの周りに嵌め込まれた円筒状のヨーク（不図示）等を備え、ベース１０の固定部に取り付けられている。
駆動源６０は、非通電状態の休止位置において、図１に示すように二つの絞り羽根部材２１，２２を（開口部１１を全開する）全開位置に位置付け、休止位置から一方向に回転して（第１回転角度範囲θ１において）二つの絞り羽根部材２１，２２を図１に示す全開位置から図５に示す（開口部１１を全閉する）全閉位置まで移動させ、図１に示す休止位置から他方向に回転して（第２回転角度範囲θ２において）赤外線カットフィルタ部材３０を（開口部１１を覆う）進入位置から図７に示す（開口部１１を全開する）後退位置まで移動させるようになっている。
【００１９】
すなわち、駆動源６０が休止位置から一方向に回転すると、二つの絞り羽根部材２１，２２のみを全開位置から全閉位置まで移動させることができると共にその途中で回転を適宜停止することにより所望の絞り動作を行うことができ、一方、駆動源６０が休止位置から他方向に回転すると、赤外線カットフィルタ部材３０のみを進入位置から後退位置まで移動させることができる。
このように、駆動源６０の回転方向を切り換えることで、二つの絞り羽根部材２１，２２による絞り動作と赤外線カットフィルタ部材３０の出し入れ動作を切り換えることができるため、駆動源６０の作動角を大きく設定する必要がなく、駆動源６０の小型化等を達成できる。
尚、絞り動作としては、図５に示すように開口部１１を全閉する必要はなく、開口部１１を部分的に開放する最小絞り位置を（位置を検出するセンサ（不図示）により）決定して、二つの絞り羽根部材２１，２２を最小絞り位置に位置付けてもよい。
【００２０】
次に、この光調節装置の動作について、図１及び図４ないし図７を参照しつつ説明する。尚、この調節動作においては、センサ（不図示）により、二つの絞り羽根部材２１，２２の移動位置又は駆動源６０の回転角度位置を検出し、この検出信号に基づいて駆動制御されるものである。尚、センサとしては、後述の実施形態（図８ないし図１５を参照）におけるセンサ８０，９０を用いて同様の検出を行うことができる。
先ず、駆動源６０（ロータ６１）が、図１に示す休止位置から一方向（図中の時計回り）に向けて第１回転角度範囲θ１を回転するとき、駆動ピン６１ａは、第２リンク部材５０の係合部５２から離脱して赤外線カットフィルタ部材３０を進入位置に位置付けた状態で、第１リンク部材４０の係合部４２に係合し、付勢バネ７１の付勢力に抗して第１リンク部材４０を一方向（図中の時計回り）に回転させ、その連結ピン４３，４４が移動することにより長孔２１ｃ，２２ｃの側壁を押して、二つの絞り羽根部材２１，２２を互いに逆向きに移動させつつ、図１に示すように開口部１１を全開する全開位置→図４に示すように開口部１１を所定の口径に絞る絞り位置→図５に示すように開口部１１を全閉する全閉位置まで移動させる。ここで、駆動源６０（ロータ６１）を所定の回転角度にて適宜停止させると、開口部１１を所望の口径に絞る絞り動作が行われる。
【００２１】
すなわち、駆動源６０が第１回転角度範囲θ１を回転するとき、赤外線カットフィルタ部材３０を（開口部１１を覆う）進入位置に維持した状態で、第１リンク部材４０を介して、二つの絞り羽根部材２１，２２を全開位置と全閉位置との間で移動させて開口部１１を絞る絞り動作を行わせることができるため、駆動源６０を適宜回転させることで開口部１１を所望の口径に絞ることにより、監視カメラ等において、赤外光を遮断しつつ昼間等における（高輝度の）被写体を鮮明に撮影することができる。
【００２２】
一方、駆動源６０（ロータ６１）が、図１に示す休止位置から他方向（図中の反時計回り）に向けて第２回転角度範囲θ２を回転するとき、駆動ピン６１ａは、第１リンク部材４０の係合部４２から離脱して二つの絞り羽根部材２１，２２を全開位置に維持した状態で、第２リンク部材５０の係合部５２に係合し、付勢バネ７２の付勢力に抗して第２リンク部材５０を他方向（図中の反時計回り）に回転させ、その連結ピン５３が移動することにより長孔３１ｃの側壁を押して、赤外線カットフィルタ部材３０を図１に示すように開口部１１を覆う進入位置→図６に示すように開口部１１を部分的に覆う半覆位置→図７に示すように開口部１１から後退する（開口部１１を全開する）後退位置まで移動させる。
【００２３】
すなわち、駆動源６０が第２回転角度範囲θ２を回転するとき、二つの絞り羽根部材２１，２２を全開位置に維持した状態で、第２リンク部材５０を介して、赤外線カットフィルタ部材３０を進入位置から（開口部１１を全開する）後退位置に移動させることができるため、監視カメラ等において、夜間等における（低輝度の）被写体を鮮明に撮影することができる。
また、二つの絞り羽根部材２１，２２が全開位置にある状態で、赤外線カットフィルタ部材３０が進入位置にあると暗過ぎかつ後退位置にあると明る過ぎる被写界輝度のとき、赤外線カットフィルタ部材３０が開口部１１を部分的に覆うようにすることで、適正な輝度を得ることができる。
【００２４】
このように、一つの駆動源６０の駆動力が、異なるタイミングでそれぞれのリンク部材４０，５０に伝達されるようにすることで、所期の動作を確実に行わせることができ、又、駆動源６０の回転方向を切り換えることで、二つの絞り羽根部材２１，２２による絞り動作と赤外線カットフィルタ部材３０の出し入れ動作を切り換えることができるため、駆動源６０の作動角を大きく設定する必要がなく、駆動源６０の小型化等を達成できる。
【００２５】
図８ないし図１５は、本発明に係る光調節装置の他の実施形態を示すものであり、前述の実施形態と同一の構成については同一の符号を付して説明を省略する。
この実施形態に係る光調節装置は、図８に示すように、ベース１０、ベース１０に対して移動自在に支持された二つの絞り羽根部材２１，２２、絞り羽根部材２１に取り付けられた赤外線カットフィルタ部材３０´、二つの絞り羽根部材２１，２２に連結された第１リンク部材４０´、第１リンク部材４０´に駆動力を及ぼす駆動源６０´、第１リンク部材４０´を回転付勢する付勢バネ７１´、絞り羽根部材２１の位置を検出するセンサ８０、駆動源６０´の回転位置を検出するセンサ９０等を備えている。
【００２６】
ベース１０は、図８ないし図９に示すように、開口部１１、一方の絞り羽根部材２１をＸ方向に直線的に往復動自在にガイドする２つのガイドピン１２，１２、他方の絞り羽根部材２２をＸ方向に直線的に往復動自在にガイドする２つのガイドピン１３，１３、第１リンク部材４０´を揺動自在に支持する支軸１４、付勢バネ７１´の一端を掛止する掛止部１５、駆動源６０´及びセンサ８０を固定する固定部（不図示）等を備えている。
【００２７】
赤外線カットフィルタ部材３０´は、赤外線を遮断し得る板状の部材により形成されており、図９に示すように、絞り羽根部材２１の切り欠き部２１ａの領域を覆うように絞り羽根部材２１に一体的に取り付けられている。
そして、赤外線カットフィルタ部材３０´は、開口部１１を覆う進入位置（図１１〜図１３に示す位置）と開口部１１から後退した（図１５に示す開口部１１を全開する）後退位置との間で、絞り羽根部材２１と一体的にＸ方向に移動するようにベース１０に支持されている。
【００２８】
第１リンク部材４０´は、図９及び図１０に示すように、円孔４１、駆動源６０´の駆動ピン６１ａが連結される長孔４２´、連結ピン４３，４４、付勢バネ７１´の他端が掛止される掛止部４５等を備えている。
第１リンク部材４０´は、図９及び図１０に示すように、付勢バネ７１´により図中の時計回りに回転付勢されており、二つの絞り羽根部材２１，２２が停止する（図９及び図１０に示すように、長孔２１ｂ，２２ｂの一端部がガイドピン１２，１３に当接する）ことによりそれ以上の時計回りの回転が規制され、一方、駆動ピン６１ａが反時計回りの駆動力を及ぼすことで付勢バネ７１´の付勢力に抗しつつ反時計回りに回転して、二つの絞り羽根部材２１，２２が停止する（図１５に示すように、長孔２１ｂ，２２ｂの他端部がガイドピン１２，１３に当接する）ことによりそれ以上の反時計回りの回転が規制されるようになっている。
【００２９】
駆動源６０´は、所定の回転角度範囲を一方向に回転して駆動力を及ぼす駆動ピン６１ａを有するロータ６１、枠部材（不図示）、励磁用のコイル（不図示）、円筒状のヨーク（不図示）等を備え、ベース１０の固定部に取り付けられている。
駆動源６０´は、非通電状態の休止位置において、図８に示すように二つの絞り羽根部材２１，２２を（開口部１１を全閉する）全閉位置に位置付け、休止位置から一方向の中間位置まで回転して（第１回転角度範囲θ１´において）二つの絞り羽根部材２１，２２を図８に示す全閉位置から図１３に示す全開位置まで移動させ、図１３に示す中間位置からさらに一方向に回転して（第２回転角度範囲θ２´において）二つの絞り羽根部材２１，２２を図１３ないし図１５に示すように全開状態に維持しつつ、赤外線カットフィルタ部材３０´を図１３に示す進入位置から図１５に示す後退位置まで移動させるようになっている。
【００３０】
すなわち、駆動源６０´が休止位置から中間位置まで一方向に回転すると、赤外線カットフィルタ部材３０´が開口部１１を覆う状態を維持しつつ二つの絞り羽根部材２１，２２を全閉位置から全開位置まで移動させることができると共にその途中で回転を適宜停止することにより所望の絞り動作を行うことができ、又、駆動源６０´が中間位置からさらに一方向に回転すると、二つの絞り羽根部材２１，２２の全開状態を維持しつつ赤外線カットフィルタ部材３０´を進入位置から後退位置まで移動させることができる。
このように、構造の簡素化等を達成しつつ、駆動源６０´を第１回転角度範囲θ１´及び第２回転角度範囲θ２´において一方向に回転させることで、二つの絞り羽根部材２１，２２による絞り動作と赤外線カットフィルタ部材３０´の出し入れ動作を確実に行わせることができる。
【００３１】
センサ８０としては、絞り羽根部材２１の位置を検出するものであり、例えば、発光素子及び受光素子を有するフォトインタラプタ等を採用することができる。
センサ９０としては、ロータ６１の回転角度を磁気的に検出できるホール素子等を採用することができる。
尚、センサとしては、センサ８０又はセンサ９０の一方のみを採用して、適宜駆動制御を行うことができる。
【００３２】
次に、この光調節装置の動作について、図８及び図１１ないし図１５を参照しつつ説明する。尚、この調節動作においては、センサ８０及び／又はセンサ９０により、二つの絞り羽根部材２１，２２の移動位置及び／又は駆動源６０´の回転角度位置を検出し、この検出信号に基づいて駆動制御されるものである。
先ず、駆動源６０´（ロータ６１）が、図８に示す休止位置から一方向（図中の反時計回り）に向けて第１回転角度範囲θ１´を回転するとき、駆動ピン６１ａが第１リンク部材４０´を一方向（図中の反時計回り）に回転させ、その連結ピン４３が移動することにより長孔２１ｃの側壁を押すことで、一方の絞り羽根部材２１と一緒に移動する赤外線カットフィルタ部材３０´を開口部１１を覆う状態に維持（進入位置に維持）した状態で、二つの絞り羽根部材２１，２２を互いに逆向きに移動させつつ、図８に示すように開口部１１を全閉する全閉位置→図１１及び図１２に示すように開口部１１を所定の口径（小絞り、中絞り）に絞る絞り位置→図１３に示すように開口部１１を全開する全開位置まで移動させる。
【００３３】
すなわち、駆動源６０´が第１回転角度範囲θ１´を回転するとき、赤外線カットフィルタ部材３０´を（開口部１１を覆う）進入位置に維持した状態で、第１リンク部材４０´を介して、二つの絞り羽根部材２１，２２を全閉位置と全開位置との間で移動させて開口部１１を絞る絞り動作を行わせることができるため、駆動源６０´を適宜回転させることで開口部１１を所望の口径に絞ることにより、監視カメラ等において、赤外光を遮断しつつ昼間等における（高輝度の）被写体を鮮明に撮影することができる。
【００３４】
また、駆動源６０´（ロータ６１）が、図１３に示す中間位置からさらに一方向（図中の反時計回り）に向けて第２回転角度範囲θ２´を回転するとき、駆動ピン６１ａが第１リンク部材４０´を一方向（図中の反時計回り）にさらに回転させ、その連結ピン４３が移動することにより長孔２１ｃの側壁を押すことで、図１３ないし図１５に示すように、二つの絞り羽根部材２１，２２の全開状態を維持しつつ、赤外線カットフィルタ部材３０´を、図１３に示すように開口部１１を覆う進入位置→図１４に示すように開口部１１を部分的に覆う半覆位置→図１５に示すように開口部１１から後退する（開口部１１を全開する）後退位置まで移動させる。
【００３５】
すなわち、駆動源６０´が第２回転角度範囲θ２´を回転するとき、駆動ピン６１ａは、第１リンク部材４０´を介して、二つの絞り羽根部材２１，２２を移動させつつも開口部１１を全開する全開状態に維持（全開位置に維持）した状態で、赤外線カットフィルタ部材３０´を進入位置から後退位置に移動させることができるため、監視カメラ等において、夜間等における（低輝度の）被写体を鮮明に撮影することができる。
また、二つの絞り羽根部材２１，２２が全開位置にある状態で、赤外線カットフィルタ部材３０´が進入位置にあると暗過ぎかつ後退位置にあると明る過ぎる被写界輝度のとき、赤外線カットフィルタ部材３０´が開口部１１を部分的に覆うようにすることで、適正な露出を得ることができる。
【００３６】
このように、一つの駆動源６０´の駆動力が、一つのリンク部材４０´に伝達されるようにすることで、構造の簡素化を達成しつつ、駆動源６０´を一方向に回転させることで、二つの絞り羽根部材２１，２２による絞り動作と赤外線カットフィルタ部材３０´の出し入れ動作を確実に行わせることができる。
【００３７】
以上述べたように、上記光調節装置によれば、駆動源６０，６０´が第１回転角度範囲θ１，θ１´を回転するとき、リンク部材４０，４０´を介して、赤外線カットフィルタ部材３０，３０´を（開口部１１を覆う）進入位置に維持した状態で、二つの絞り羽根部材２１，２２を全開位置と全閉位置との間で移動させて開口部１１を絞る絞り動作を行わせることができるため、駆動源６０，６０´を適宜回転させることで開口部１１を所望の口径に絞ることにより、監視カメラ等において、赤外光を遮断しつつ昼間等における（高輝度の）被写体を鮮明に撮影することができ、一方、駆動源６０，６０´が第２回転角度範囲θ２，θ２´を回転するとき、リンク部材５０，４０´を介して、二つの絞り羽根部材２１，２２を全開位置に維持した状態で、赤外線カットフィルタ部材３０，３０´を進入位置から（開口部１１を全開する）後退位置に移動させることができるため、監視カメラ等において、夜間等における（低輝度の）被写体を鮮明に撮影することができ、又、二つの絞り羽根駆動部材２１，２２と赤外線カットフィルタ部材３０，３０´とを、一つの駆動源６０，６０´により駆動するため、構造の簡素化、部品点数の削減、低コスト化等を達成できる。
【００３８】
上記実施形態においては、二つの絞り羽根部材２１，２２及び赤外線カットフィルタ部材３０がＸ方向において直線的に往復動する場合を示したが、これに限定されるものではなく、回転による往復動するような構成において本発明を適用することもできる。
上記実施形態においては、駆動源として、ロータ６１、コイル、円筒状のヨーク等を備えるムービングマグネット型のモータを示したが、これに限定されるものではなく、その他の駆動源を採用してもよい。
【産業上の利用可能性】
【００３９】
以上述べたように、本発明の光調節装置は、構造の簡素化、低コスト化等を達成しつつ、一つの駆動源を用いて、光量を調節する絞り機能と通過する光の波長領域を調節するフィルタ機能とを両立させることができるため、特に監視カメラ等の光調節装置として適用できるのは勿論のこと、その他のカメラにおいても有用である。
【符号の説明】
【００４０】
１０  ベース
１１  光通過用の開口部
１２，１３  ガイドピン
１４  支軸
１５，１６  掛止部
２１，２２  二つの絞り羽根部材
２１ａ，２２ａ  切り欠き部
２１ｂ，２２ｂ  長孔
２１ｃ，２２ｃ  長孔
３０，３０´  赤外線カットフィルタ部材
３０ａ  フィルタ部
３０ｂ，３０ｃ  長孔
４０，４０´  第１リンク部材
４１  円孔
４２  係合部
４２´  長孔
４３，４４  連結ピン
４５  掛止部
５０  第２リンク部材
５１  円孔
５２  切り欠き部
５３  連結ピン
５４  掛止部
６０，６０´  駆動源
θ１，θ１´  第１回転角度範囲
θ２，θ２´  第２回転角度範囲
６１  ロータ
６１ａ  駆動ピン
７１，７１´，７２  付勢バネ
８０，９０  センサ
【図１】
2013178297.tif 000003
【図２】
2013178297.tif 000004
【図３】
2013178297.tif 000005
【図４】
2013178297.tif 000006
【図５】
2013178297.tif 000007
【図６】
2013178297.tif 000008
【図７】
2013178297.tif 000009
【図８】
2013178297.tif 000010
【図９】
2013178297.tif 000011
【図１０】
2013178297.tif 000012
【図１１】
2013178297.tif 000013
【図１２】
2013178297.tif 000014
【図１３】
2013178297.tif 000015
【図１４】
2013178297.tif 000016
【図１５】
2013178297.tif 000017